(57)【特許請求の範囲】
【請求項１】
発光層とコンタクト層とを含み、前記発光層から放出される光が取り出される第１の主面と、前記第１の主面の反対側に設けられた第２の主面と、を有する半導体積層体と、
前記半導体積層体の前記第１の主面の上に設けられた電極と、
導電性及び前記発光層から放出される光に対する反射性を有し、前記コンタクト層に接して設けられた反射層と、
前記反射層が前記コンタクト層と接する面の反対側の面で前記反射層に接して設けられた基板と、
を備え、
前記コンタクト層は、前記反射層と接する面に光散乱が生ずる粗面化された起伏を有し、
前記反射層は、第１の金属層と、第２の金属層と、を有し、
前記第１金属層と前記第２の金属層とは、一体とされ、
前記反射層は、前記コンタクト層と接する面に前記コンタクト層の前記起伏を反映して被覆するとともに、前記コンタクト層の厚みを超えて前記半導体積層体に食い込む粗面を有することを特徴とする半導体発光素子。
【請求項２】
前記コンタクト層の厚みは、５０ナノメータに至ることを特徴とする請求項１記載の半導体発光素子。
【請求項３】
前記第１の金属層と前記第２の金属層とは、固相拡散接合により接合されてなることを特徴とする請求項１または２に記載の半導体発光素子。
【請求項４】
前記第１の金属層と前記第２の金属層とは、Ａｕを含む接合界面を形成してなることを特徴とする請求項１〜３のいずれか１つに記載の半導体発光素子。
【請求項５】
前記コンタクト層は、ＧａＡｓを含むことを特徴とする請求項１〜４のいずれか１つに記載の半導体発光素子。
【請求項６】
実装部材と、
前記実装部材の上にマウントされた請求項１〜５のいずれか１つに記載の半導体発光素子と、
前記半導体発光素子を封止した樹脂と、
を備えたことを特徴とする半導体発光装置。
【発明の詳細な説明】
【技術分野】
【０００１】
本発明は、半導体発光素子及び半導体発光装置に関し、詳しくは、発光層から光取り出し面の反対側に放出された光を光取り出し面側へと反射させる反射層を備えた半導体発光素子及び半導体発光装置に関する。
【背景技術】
【０００２】
光取り出し面の反対面側に金属材料からなる反射層を設けて、発光層から、光取り出し面の反対側に放出された光をその反射層で光取り出し面側に反射させる構造を有する半導体発光素子が、例えば特許文献１に開示されている。
【０００３】
このような反射層を設けることで光取り出し効率の向上を図らんとするものであるが、発光層から放出された光が、反射層、素子側面、光取り出し面などで全反射を繰り返してしまうと、期待したような光取り出し効率の向上が図れない。
【先行技術文献】
【特許文献】
【０００４】
【特許文献１】特開２００５−１７５４６２号公報
【発明の概要】
【発明が解決しようとする課題】
【０００５】
本発明は、発光層から放出された光の取り出し効率を向上させる半導体発光素子及び半導体発光装置を提供する。
【課題を解決するための手段】
【０００６】
本発明の一態様によれば、発光層とコンタクト層とを含み、前記発光層から放出される光が取り出される第１の主面と、前記第１の主面の反対側に設けられた第２の主面と、を有する半導体積層体と、前記半導体積層体の前記第１の主面の上に設けられた電極と、導電性及び前記発光層から放出される光に対する反射性を有し、前記コンタクト層に接して設けられた反射層と、前記反射層が前記コンタクト層と接する面の反対側の面で前記反射層に接して設けられた基板と、を備え、前記コンタクト層は、前記反射層と接する面に光散乱が生ずる粗面化された起伏を有し、前記反射層は、第１の金属層と、第２の金属層と、を有し、前記第１金属層と前記第２の金属層とは、一体とされ、前記反射層は、前記コンタクト層と接する面に前記コンタクト層の前記起伏を反映して被覆するとともに、前記コンタクト層の厚みを超えて前記半導体積層体に食い込む粗面を有することを特徴とする半導体発光素子が提供される。
【０００７】
また、本発明の他の一態様によれば、
実装部材と、
前記実装部材の上にマウントされた上述の半導体発光素子と、
前記半導体発光素子を封止した樹脂と、
を備えたことを特徴とする半導体発光装置が提供される。
【発明の効果】
【０００８】
本発明によれば、光取り出し効率を向上させて、高輝度化を図れる半導体発光素子及び半導体発光装置が提供される。
【図面の簡単な説明】
【０００９】
【図１】本発明の第１の実施形態に係る半導体発光素子の要部断面構造を例示する模式図である。
【図２】同半導体発光素子の要部上面構造を例示する模式図である。
【図３】発光層を含む半導体層の断面構造を例示する模式図である。
【図４】粗面化されたＧａＡｓ層表面の電子顕微鏡画像である。
【図５】凹凸が設けられた、コンタクト層と反射層との界面を模式的に例示した拡大断面図であり、コンタクト層が半導体層の第２の主面の全面にわたって残っている態様を表す。
【図６】図５と同様な模式図であり、コンタクト層は部分的に残され、反射層の一部が半導体層内まで及んでいない態様を表す。
【図７】図５、６と同様な模式図であり、コンタクト層は部分的に残され、反射層の一部が半導体層内まで及んでいる態様を表す。
【図８】コンタクト層と反射層との界面における光の散乱の程度と、素子外部への光取り出し量との関係を表すグラフである。
【図９】図８のグラフにおける横軸の角度を説明するための模式図である。
【図１０】本発明の第１の実施形態に係る半導体発光素子の製造工程の要部を例示する工程断面図である。
【図１１】図１０に続く工程断面図である。
【図１２】図１１に続く工程断面図である。
【図１３】図１２に続く工程断面図である。
【図１４】図１３に続く工程断面図である。
【図１５】図１４に続く工程断面図である。
【図１６】本発明の第２の実施形態に係る半導体発光素子の要部断面構造を例示する模式図である。
【図１７】本発明の第２の実施形態に係る半導体発光素子の製造工程の要部を例示する工程断面図である。
【図１８】図１７に続く工程断面図である。
【図１９】図１８に続く工程断面図である。
【図２０】図１９に続く工程断面図である。
【図２１】図２０に続く工程断面図である。
【図２２】図２１に続く工程断面図である。
【図２３】本発明の第３の実施形態に係る半導体発光素子の要部断面構造を例示する模式図である。
【図２４】本発明の第４の実施形態に係る半導体発光装置の要部断面構造を例示する模式図である。
【図２５】本発明の第４の実施形態に係る他の半導体発光装置の要部断面構造を例示する模式図である。
【発明を実施するための形態】
【００１０】
以下に、図面を参照しつつ、本発明の実施形態について説明する。
【００１１】
［第１の実施形態］
図１は、本発明の第１の実施形態に係る半導体発光素子１１の要部断面構造を例示する模式図である。  
図２は、同半導体発光素子１１の要部上面構造を例示する模式図である。
【００１２】
本実施形態に係る半導体発光素子１１は、基板１６上に、反射層２５と、コンタクト層１２と、発光層８を含む半導体層６と、が積層された構造を有する。半導体層６における第１の主面（上面）は光取り出し面であり、この上にコンタクト層４を介して第１の電極２２が設けられている。基板１６の裏面には第２の電極２０が設けられている。
【００１３】
半導体層６は、図３に表されるように、例えば、クラッド層７、発光層（活性層）８、クラッド層９、電流拡散層１０を含む半導体の積層体である。クラッド層７、発光層８、クラッド層９、電流拡散層１０は、この順でコンタクト層１２の上に積層されている。発光層８は、これよりもバンドギャップの大きいクラッド層７、９で挟まれている。クラッド層７、９のうち一方は第１導電型、他方は第２導電型の半導体からなる。
【００１４】
本具体例では、例えば、クラッド層７はｐ型のＩｎＡｌＰやＩｎＧａＡｌＰからなり、クラッド層９はｎ型のＩｎＡｌＰやＩｎＧａＡｌＰからなる。発光層８は、例えば、ＩｎＧａＰ／ＩｎＧａＡｌＰの多重量子井戸構造を有する。電流拡散層１０は、例えばｎ型のＧａＡｓからなる。
【００１５】
あるいは、クラッド層７をｐ型のＡｌＧａＮ、発光層８をＡｌＧａＮ／ＡｌＩｎＧａＮの多重量子井戸構造、クラッド層９をｎ型のＡｌＧａＮ、電流拡散層１０をｎ型のＧａＮから構成してもよい。  
もちろん、各層の材料は上記で挙げたものに限定されるものではなく、他の半導体材料を用いてもよい。また、半導体層６の構成も上記の構成に限らず、例えば電流拡散層１０がない構成であってもよい。
【００１６】
半導体層６と、金属からなる反射層２５と、を直接接触させると良好なオーミックコンタクトが得られないので、半導体層６と反射層２５との間にはこれら両者間の抵抗を低減させる目的でコンタクト層１２が設けられている。すなわち、コンタクト層１２は、半導体層６の第１の主面（光取り出し面）の反対側に設けられた第２の主面に接している。コンタクト層１２は、半導体層６の第２の主面を構成する半導体よりもバンドギャップが小さい半導体からなるものとすることが望ましい。例えば、クラッド層７がｐ型のＩｎＡｌＰやＩｎＧａＡｌＰである場合には、コンタクト層１２として例えばｐ型のＧａＡｓが用いられる。あるいは、クラッド層７がｐ型のＡｌＧａＮである場合には、コンタクト層１２として例えばｐ型のＧａＮが用いられる。
【００１７】
そして、コンタクト層１２において、半導体層６の第２の主面に接する面の反対側の面は粗面化されている。この粗面化は、コンタクト層１２と反射層２５との界面のうちの少なくとも第１の電極２２に対向する部分においてなされている。この粗面化は、例えば、コンタクト層１２の粗面化したい面をウェットエッチングまたはドライエッチングする手法などにより行われる。  
図４は、例えばＧａＡｓからなるコンタクト層１２の表面を、後述するような条件でドライエッチングして得られた粗面部分の電子顕微鏡画像である。
【００１８】
コンタクト層１２の粗面化された面には第１の金属層１４が形成される。第１の金属層１４は、粗面化された部分の凹凸を被覆するように形成される。これにより、コンタクト層１２と第１の金属層１４との界面に凹凸（起伏）が形成される。第１の金属層１４は、例えば、Ａｕを含む金属材料（合金も含む）からなり、スパッタ法や真空蒸着法などにより形成される。
【００１９】
図５〜７は、コンタクト層１２と第１の金属層１４との界面の一部を模式的に例示した拡大断面図であり、それぞれ、コンタクト層１２の粗面化の程度が異なる３つの態様を表す。  
図５は、コンタクト層１２の表面側から行ったエッチングの深さが半導体層６にまで達せず、コンタクト層１２が、半導体層６の第２の主面上に全面にわたって残っている態様を表す。  
図６は、上記エッチングにより、コンタクト層１２が部分的に厚さ方向のすべてにわたって除去されてしまった態様を表す。コンタクト層１２は半導体層６の第２の主面上に島状に残されている。半導体層６の第２の主面はエッチングされず、よって第１の金属層１４は半導体層６にまでは入り込んでいない。  
図７は、図６と同様にコンタクト層１２が部分的に（島状に）残されており、さらに半導体層６の第２の主面も部分的にエッチングされて、第１の金属層１４が部分的に半導体層６にまで入り込んで形成されている態様を表す。  
上記３態様いずれにしても、コンタクト層１２と第１の金属層１４との界面には凹凸が形成されている。また、上記３つの態様が混在する構造であってもよい。
【００２０】
第１の金属層１４において、コンタクト層１２との界面の反対側の面は、第２の金属層１８と接合されている。第２の金属層１８は、例えば、Ａｕを含む金属材料（合金も含む）からなる。後述するように、基板１６上に支持された第２の金属層１８が、第１の金属層１４に圧接された状態で加熱されて、第１及び第２の金属層１４、１８が固相拡散接合される。これら一体とされた第１の金属層１４と第２の金属層１８とから反射層２５が構成される。反射層２５は、発光層８から放出される光に対する反射性を有する。
【００２１】
半導体層６の第１の主面（上面）は、素子外部への光取り出し面であり、この面の略中央にコンタクト層４を介して第１の電極２２が設けられている。第１の電極２２は、図示しない外部回路と接続するためのワイヤが接続されるボンディングパッドである。コンタクト層４及び第１の電極２２の平面形状は、図２に表されるように、例えば円形状を呈しているが、これに限らず角形等であってもよい。
【００２２】
第１の電極２２は、金属（合金も含む）からなる。コンタクト層４は、第１の電極２２と半導体層６との間の抵抗を低減する役割を担い、例えば、半導体層６がＩｎＧａＡｌＰ系材料からなる場合には、コンタクト層４としてＧａＡｓを用いることができる。基板１６の裏面全面には、金属（合金も含む）からなる第２の電極２０が形成されている。
【００２３】
基板１６は、両電極２２、２０間の導通を確保するため、導電性を有する。本具体例では、例えば、安価で加工も容易なシリコン基板を用いている。なお、半導体層６、コンタクト層１２、反射層２５を含む積層体の機械的強度が十分な場合には、基板１６を省いてもよい。
【００２４】
以上のように構成される半導体発光素子１１において、第１の電極２２とコンタクト層４を除いた部分の厚さ（高さ）は、例えば１００〜３００マイクロメータほどである。半導体発光素子１１の横方向寸法は、例えば２００〜３００マイクロメータほどである。第１の電極２２及びコンタクト層４の直径は、例えば５０〜１００マイクロメータほどである。
【００２５】
半導体発光素子１１において、両電極２２、２０を介して、発光層８に電流を注入すると、電子と正孔との再結合が生じて発光層８から光が放出される。発光層８から、半導体層６の光取り出し面（第１の主面）に向けて放出された光は、その半導体層６の光取り出し面から素子外部に取り出される。発光層８から、上記光取り出し面の反対側の面（第２の主面）に向けて放出された光は、この光に対して透光性を有するコンタクト層１２を透過して、コンタクト層１２と反射層２５（第１の金属層１４）との界面で反射される。この反射された光は、コンタクト層１２及び半導体層６を透過して、半導体層６の光取り出し面から素子外部に取り出される。
【００２６】
そして、本具体例では、コンタクト層１２の粗面化によって、反射層２５（第１の金属層１４）における半導体層６の第２の主面側の面であるコンタクト層１２との界面に凹凸が形成されているため、発光層８から第２の主面側に放出された光は、コンタクト層１２と反射層２５との界面で散乱して反射（乱反射）される。すなわち、上記界面での反射光は様々な方向に進行方向を変えるため、素子内で全反射を繰り返すような光路をとる割合が小さくなり、上記界面で反射された後、光取り出し面を透過する光をより多くできる。また、例えば、発光層８のうちで電極２２の下の部分から下方（基板１６の方向）に放出された光をコンタクト層１２と反射層２５との界面の凹凸で横または斜め方向に散乱することにより、遮光体となる電極２２の方向に反射する割合を低下させ、外部に取り出す割合を増やすことも可能となる。この結果、素子外部への光取り出し効率を向上させることができ、半導体発光素子１１の高輝度化を図れる。
【００２７】
図８は、上記界面における光の散乱の程度と、素子外部への光取り出し量との関係を表すグラフである。
【００２８】
縦軸は、素子外部への光の取り出し量を表す。単位は、任意単位（arbitrary unit）であり、上記界面における反射で散乱がない場合の光取り出し量を基準（１．０）とし、これに対する光取り出し量の相対的な大きさを表している。
【００２９】
横軸は、上記界面における光の散乱の程度を表す。これについて、図９を参照して説明する。  
図９は、入射光Ｌ１が、コンタクト層と反射層との界面ａにて、反射光（散乱光）Ｌ２として反射される様子を模式的に表している。角度θは、散乱光Ｌ２の広がりの中心軸ｂに対する散乱光Ｌ２の広がり角度を表し、これを図８のグラフにおける横軸にとっている。なお、散乱光Ｌ２の光強度分布は、中心軸ｂにピークを有するガウシアン分布となる。
【００３０】
図８の結果より、上記界面で散乱反射がない場合（θ＝０°）に比べて、散乱反射がある方が光の取り出し量は大であり、また、散乱の程度が大きくなるにしたがって（角度θの大きさが大きくなるにしたがって）、光の取り出し量は大きくなる。
【００３１】
次に、本実施形態に係る半導体発光素子１１の製造方法の一例について説明する。  
図１０〜図１５は、半導体発光素子１１の製造工程の要部を例示する工程断面図である。
【００３２】
まず、図１０に表されるように、第１の基板２上に、コンタクト層４、半導体層６、コンタクト層１２を、順にエピタキシャル成長させる。第１の基板２は、上記各層の良好なエピタキシャル成長に適したものが用いられ、例えば、ＩｎＧａＡｌＰ系発光素子の場合には、ＧａＡｓを用いることができる。また、ＧａＮ系発光素子の場合には、第１の基板２として、例えばサファイアやＳｉＣを用いることができる。
【００３３】
次に、例えば、ＧａＡｓからなるコンタクト層１２の表面を、ＲＩＥ（Reactive Ion Etching）法によってエッチングすることで粗面化する（図１１）。このエッチングの各種条件の一例を以下に示す。
【００３４】
エッチングガス：ＢＣｌ３
印加高周波電力：３００［Ｗ］
雰囲気圧力    ：６６．７［ｍＰａ］
温度：室温（常温）
エッチング時間：１０分
上述した図４の電子顕微鏡画像は、この条件によるエッチングの結果得られたＧａＡｓからなるコンタクト層１２の粗面を表す。
【００３５】
例えば、ＩｎＧａＡｌＰ系発光素子の場合には、コンタクト層１２としてＧａＡｓを用いれば、半導体層６及び反射層２５とオーミックコンタクトを得やすい。ここで、ＧａＡｓからなるコンタクト層１２を図５乃至図７に例示したように凹凸状に粗面化する方法として、その上にインジウム（Ｉｎ）を添加した層を積層させてからエッチングする方法がある。
【００３６】
例えば、図１０に表される工程において、コンタクト層（ＧａＡｓ層）１２の上に、例えばＩｎＧａＡｌＰ層を１００ナノメータ程度成長させた上で、上記条件によるエッチングを行うと、図５乃至図７に例示したような凹凸状の粗面化をより確実に実現できる。これは、エッチングの際にインジウムの濃度の変調あるいは偏析が生じ、インジウム濃度の高い部分が下地のＧａＡｓに対する微細なマスクとして作用するからであると推測される。
【００３７】
以上のコンタクト層１２の粗面化の後、図１２に表されるように、コンタクト層１２の粗面化した面を覆うように、第１の金属層１４を形成する。第１の金属層１４は、例えば、Ａｕを含む金属材料（合金も含む）からなり、スパッタ法や真空蒸着法により形成される。第１の金属層１４の厚さは、例えば１マイクロメータほどである。コンタクト層１２と第１の金属層１４との界面は、コンタクト層１２の粗面形状を反映して、凹凸を有する界面となる。
【００３８】
次に、図１３に表されるように、前述の工程までで得られた第１の積層体５１と、第２の基板１６の両面にそれぞれ第２の金属層１８と第２の電極２０とを形成した第２の積層体５２とを熱圧着する。第２の金属層１８は、例えば、Ａｕを含む金属材料（合金も含む）からなり、スパッタ法や真空蒸着法により形成される。第２の金属層１８の厚さは、例えば１マイクロメータほどである。
【００３９】
第２の電極２０は、金属材料（合金も含む）からなる。また、この段階では、第２の基板１６の一方の面のみに第２の金属層１８を形成しておき、第２の電極２０は、２つの積層体５１、５２の圧着後に、第２の基板１６の他方の面に形成するようにしてもよい。
【００４０】
第１の金属層１４と、第２の金属層１８とを圧接させた状態で加熱することにより、両金属層１４、１８が固相拡散接合される。例えば、加熱温度は４００℃ほどであり、２インチウェーハに対して９．８０６６５×１０２［Ｎ］以上の力を両積層体５１、５２の厚さ方向に加える。
【００４１】
次に、図１４に表されるように、半導体層６などのエピタキシャル成長用に用いた第１の基板２を、例えばエッチングにより除去する。これにより、導電性の例えばシリコン基板１６上に、反射層２５、コンタクト層１２、半導体層６、コンタクト層４が積層された構造が得られる。
【００４２】
次に、図１５に表されるように、コンタクト層４上の略中央に、選択的に第１の電極（ボンディングパッド）２２を形成する。第１の電極２２は、スパッタ法や真空蒸着法などにより形成される。この後、第１の電極２２の下以外のコンタクト層４をエッチングにより除去して、図１、２に表される半導体発光素子１１が得られる。また、ハンドリング性や半導体層６等の機械的強度に問題がなければ、図１３に表される圧着工程の前に第１の基板２を除去しておいてもよい。
【００４３】
［第２の実施形態］
次に、本発明の第２の実施形態について説明する。なお、上記第１の実施形態と同様の要素については同一の符号を付して詳細な説明は省略する。  
図１６は、本発明の第２の実施形態に係る半導体発光素子３１の要部断面構造を例示する模式図である。
【００４４】
本実施形態に係る半導体発光素子３１が、上記第１の実施形態に係る半導体発光素子１１と異なるのは、コンタクト層３２の下に透明電極層３３が設けれた点である。
【００４５】
コンタクト層３２は、半導体層６の第１の主面（光取り出し面）の反対側に設けられた第２の主面に接している。コンタクト層３２は、隣接する半導体層６の第２の主面（第１の主面とは反対側の主面）を構成する半導体よりもバンドギャップの小さな半導体からなるものとすることが望ましい。例えば、クラッド層７がｐ型のＩｎＡｌＰやＩｎＧａＡｌＰである場合には、コンタクト層３２としてｐ型のＧａＡｓを用いることができる。あるいは、クラッド層７がｐ型のＡｌＧａＮである場合には、コンタクト層３２としてｐ型のＧａＮを用いることができる。
【００４６】
透明電極層３３は、コンタクト層３２に接して設けられている。透明電極層３３は、導電性及び発光層８から放出される光に対する透光性を有する。例えば、透明電極層３３として、ＩＴＯ（Indium Tin Oxide）、ＩＺＯ（Indium Zinc Oxide）、酸化亜鉛などの金属酸化物や、窒化チタンなどの金属窒化物、その他金属化合物などを用いることができる。透明電極層３３において、コンタクト層３２に接する面の反対側の面は粗面化されている。この粗面化は、透明電極層３３の粗面化したい面を全面にわたってエッチングすることにより行われる。
【００４７】
透明電極層３３の粗面化された面には第１の金属層１４が形成される。第１の金属層１４は、粗面化された部分の凹凸を被覆するように形成される。これにより、透明電極層３３と第１の金属層１４との界面に凹凸（起伏）が形成される。第１の金属層１４は、例えば、Ａｕを含む金属材料（合金も含む）からなり、スパッタ法や真空蒸着法などにより形成される。
【００４８】
以上のように、本具体例においても、反射層２５（第１の金属層１４）における透明電極層３３側の面である透明電極層３３との界面に凹凸が形成されているため、発光層８から第２の主面側に放出された光は、透明電極層３３と反射層２５との界面で散乱して反射（乱反射）される。すなわち、上記界面での反射光は様々な方向に進行方向を変えるため、素子内で全反射を繰り返すような光路をとる割合が小さくなり、上記界面で反射された後、光取り出し面を透過する光をより多くできる。また、例えば、発光層８のうちで電極２２の下の部分から下方（基板１６の方向）に放出された光を透明電極層３３と反射層２５との界面の凹凸で横または斜め方向に散乱することにより、遮光体となる電極２２の方向に反射する割合を低下させ、外部に取り出す割合を増やすことも可能となる。この結果、素子外部への光取り出し効率を向上させることができ、半導体発光素子３１の高輝度化を図れる。
【００４９】
また、本具体例では、コンタクト層３２の下に透明電極層３３を設けることで、以下のような利点がある。
【００５０】
コンタクト層３２としては、半導体層６との良好なオーミックコンタクト確保のために、例えばＧａＡｓ等の半導体が用いられる。しかし、ＧａＡｓは、例えばＩｎＧａＡｌＰ系の発光層８から放出される光を吸収しやすいので、コンタクト層３２は薄い方がよいが、薄くなると、コンタクト層３２の過剰なエッチングが生じやすくなり、これは素子の順方向電圧の増大につながる。
【００５１】
これに対して、本具体例では、コンタクト層３２をエッチングしないため、コンタクト層３２を薄く形成しても、順方向電圧の増大をまねくような過剰な除去が起こり得ない。コンタクト層３２を薄くすることで、コンタクト層３２における光吸収を抑えることができる。  
例えば、第１の実施形態に係る半導体発光素子１１における、ＧａＡｓ等からなるコンタクト層１２は５０ナノメータほどであるのに対して、同じくＧａＡｓ等からなる上記コンタクト層３２の厚さは２０ナノメータ程度まで薄くすることができる。
【００５２】
エッチングされる透明電極層３３は、ＧａＡｓ等の透光性半導体よりも光透過率が高いＩＴＯ等からなるため、比較的厚く形成できる。例えば、透明電極層３３は、１００〜５００ナノメータである。また、ＩＴＯはコンタクト層３２及び第１の金属層１４との間に合金層を形成しないため、その合金層による光透過率の低下を防ぐことができる。
【００５３】
次に、本実施形態に係る半導体発光素子３１の製造方法の一例について説明する。  
図１７〜図２２は、半導体発光素子３１の製造工程の要部を例示する工程断面図である。
【００５４】
まず、図１７に表されるように、第１の基板２上に、コンタクト層４、半導体層６、コンタクト層３２を、順にエピタキシャル成長させる。
【００５５】
次に、コンタクト層３２の上に、透明電極層３３として、例えばＩＴＯ（Indium Tin Oxide）からなる層を形成する。このＩＴＯからなる透明電極層３３は、例えば、直流スパッタ法により形成される。このスパッタ時、被成膜体（第１の基板２、コンタクト層４、半導体層６、コンタクト層３２からなる積層体）は、２５０［℃］に加熱した。また、直流パワーは、２００［Ｗ］（放電電圧２５０［Ｖ］、放電電流０．８２［Ａ］）とした。
【００５６】
以上のような条件にて、膜厚が２００ナノメータ、比抵抗が１．６×１０−４［Ωｃｍ］、発光層８から放出される光に対する透過率が９５％以上のＩＴＯからなる透明電極層３３が得られた。
【００５７】
次に、透明電極層３３の表面を、ウェットエッチングすることで粗面化する（図１８）。例えば、エッチング液は、３５％濃塩酸と水とを１：１の割合で混合したものを用いた。温度は４５［℃］、エッチング時間は２分とした。
【００５８】
以上の透明電極層３３の粗面化の後、図１９に表されるように、透明電極層３３の粗面化した面を覆うように、第１の金属層１４を形成する。第１の金属層１４は、例えば、Ａｕを含む金属材料（合金も含む）からなり、スパッタ法や真空蒸着法により形成される。透明電極層３３と第１の金属層１４との界面は、透明電極層３３の粗面形状を反映して、凹凸を有する界面となる。
【００５９】
次に、図２０に表されるように、前述の工程までで得られた第１の積層体６１と、第２の基板１６の両面にそれぞれ第２の金属層１８と第２の電極２０とを形成した第２の積層体５２とを熱圧着する。第２の金属層１８は、例えば、Ａｕを含む金属材料（合金も含む）からなり、スパッタ法や真空蒸着法により形成される。
【００６０】
第２の電極２０は、金属材料（合金も含む）からなる。また、この段階では、第２の基板１６の一方の面のみに第２の金属層１８を形成しておき、第２の電極２０は、２つの積層体６１、５２の圧着後に、第２の基板１６の他方の面に形成するようにしてもよい。
【００６１】
第１の金属層１４と、第２の金属層１８とを圧接させた状態で加熱することにより、両金属層１４、１８が固相拡散接合される。例えば、加熱温度は４００℃ほどであり、２インチウェーハに対して９．８０６６５×１０２［Ｎ］以上の力を両積層体６１、５２の厚さ方向に加える。
【００６２】
次に、図２１に表されるように、半導体層６などのエピタキシャル成長用に用いた第１の基板２を、例えばエッチングにより除去する。これにより、導電性の例えばシリコン基板１６上に、反射層２５、透明電極層３３、コンタクト層３２、半導体層６、コンタクト層４が積層された構造が得られる。
【００６３】
次に、図２２に表されるように、コンタクト層４上の略中央に、選択的に第１の電極（ボンディングパッド）２２を形成する。第１の電極２２は、スパッタ法や真空蒸着法などにより形成される。この後、第１の電極２２の下以外のコンタクト層４をエッチングにより除去して、図１６に表される半導体発光素子３１が得られる。また、ハンドリング性や半導体層６等の機械的強度に問題がなければ、図２０に表される圧着工程の前に第１の基板２を除去しておいてもよい。
【００６４】
［第３の実施形態］
次に、本発明の第３の実施形態について説明する。なお、上記第１、第２の実施形態と同様の要素については、同一の符号を付して詳細な説明は省略する。  
図２３は、本発明の第３の実施形態に係る半導体発光素子４１の要部断面構造を例示する模式図である。
【００６５】
第３の実施形態に係る半導体発光素子４１では、第２の電極４３を、基板１６の裏面ではなく表面側に設けている。すなわち、基板１６の表面の全面に第２の金属層１８が形成されている点は上記第１、第２の実施形態と同じであるが、第２の金属層１８上に積層されている第１の金属層１４、コンタクト層１２、半導体層６は、第２の金属層１８の全面にわたって設けられていない。それら積層体が設けられた部分の側方の第２の金属層１８上に、第２の電極４３が設けられている。この場合、基板１６は導電性を有していなくてもかまわない。
【００６６】
［第４の実施形態］
次に、本発明の第４の実施形態として、半導体発光素子を搭載した半導体発光装置への適用例について説明する。すなわち、第１〜第３の実施形態に関して前述した光取り出し効率の高い半導体発光素子（それら半導体発光素子を以下の説明ではまとめて符号１０１で表す）を、リードフレームや基板などの実装部材に実装することにより、高輝度の半導体発光装置が得られる。
【００６７】
図２４は、第４の実施形態の半導体発光装置の一具体例を表す模式断面図である。本具体例の半導体発光装置１００は、「砲弾型」などと呼ばれる樹脂封止型の半導体発光装置である。
【００６８】
リード１０２の上部にはカップ部１０６が設けられ、半導体発光素子１０１はカップ部１０６の底面に導電性ペーストなどによりマウントされている。半導体発光素子１０１の上面側の電極（ボンディングパッド）と、もう一方のリード１０３とはワイヤ１０４により電気的に接続されている。カップ部１０６の内壁面１０６ａは、光反射面を構成し、半導体発光素子１０１から放出された光を反射して上方に取り出すことができる。
【００６９】
カップ部１０６は、光透過性の樹脂１０５により封止されている。樹脂１０５の光取り出し面１０５ａは集光曲面を形成し、半導体発光素子１０１から放出される光を適宜集光させて所定の配光分布が得られるようにすることができる。
【００７０】
図２５は、半導体発光装置の他の具体例を表す模式断面図である。本具体例の半導体発光装置１１０は、「表面実装型」などと称されるものであり、半導体発光素子１０１は、リード１１２の上に導電性ペーストなどを介してマウントされ、半導体発光素子１０１の上面側の電極（ボンディングパッド）は、もうひとつのリード１１３にワイヤ１０４により電気的に接続されている。これらリード１１２、１１３は、第１の樹脂１１６にモールドされており、半導体発光素子１０１は、透光性を有する第２の樹脂１１５により封止されている。第１の樹脂１１６は、例えば、酸化チタンの微粒子などを分散させることにより、光反射性が高められている。そして、その内壁面１１６ａが光反射面として作用し、半導体発光素子１０１から放出された光を外部に導く。
【００７１】
以上、具体例を参照しつつ本発明の実施形態について説明した。しかし、本発明は、それらに限定されるものではなく、本発明の技術的思想に基づいて種々の変形が可能である。
【００７２】
コンタクト層や透明電極層の粗面化の方法としては、上述した方法や条件に限らない。例えば、ＩＴＯからなる透明電極層３３のエッチングに、フッ酸系のエッチング液を用いてもよい。あるいは、ウェットエッチングに限らず、ドライエッチングによってＩＴＯからなる透明電極層３３の粗面化を行ってもよい。また、ＧａＡｓ等からなるコンタクト層１２の粗面化は、ドライエッチングに限らず、例えばリン酸系のエッチング液を用いたウェットエッチングで行ってもよい。
【符号の説明】
【００７３】
２  第１の基板、４、４２  コンタクト層、６  半導体層、７  クラッド層、８  発光層、９  クラッド層、１０  電流拡散層、１１、３１、４１  半導体発光素子、１２  コンタクト層、１４  第１の金属層、１６  第２の基板、１８  第２の金属層、２０、４３  第２の電極、２２  第１の電極、２５  反射層、３２  コンタクト層、３３  透明電極層、５１、６１  第１の積層体、５２  第２の積層体
【図１】
0005433749.tif 000002
【図２】
0005433749.tif 000003
【図３】
0005433749.tif 000004
【図５】
0005433749.tif 000005
【図６】
0005433749.tif 000006
【図７】
0005433749.tif 000007
【図８】
0005433749.tif 000008
【図９】
0005433749.tif 000009
【図１０】
0005433749.tif 000010
【図１１】
0005433749.tif 000011
【図１２】
0005433749.tif 000012
【図１３】
0005433749.tif 000013
【図１４】
0005433749.tif 000014
【図１５】
0005433749.tif 000015
【図１６】
0005433749.tif 000016
【図１７】
0005433749.tif 000017
【図１８】
0005433749.tif 000018
【図１９】
0005433749.tif 000019
【図２０】
0005433749.tif 000020
【図２１】
0005433749.tif 000021
【図２２】
0005433749.tif 000022
【図２３】
0005433749.tif 000023
【図２４】
0005433749.tif 000024
【図２５】
0005433749.tif 000025
【図４】
0005433749.tif 000026